(57)【特許請求の範囲】
【請求項１】
魚体の長さを計測するための魚体計測メジャーにおいて、
シート状部材で囲まれた内側に気体が充填されることにより、接地面が下面側に形成され、魚体が載置される載置面が上面側に形成された板状、クッション状のメジャー本体と、
前記載置面に載置される前記魚体の長さ方向に沿って付された目盛り部と、を備える、
ことを特徴とする魚体計測メジャー。
【請求項２】
前記メジャー本体は、前記内側に対して前記気体の出し入れが可能な給排気口を有する、
ことを特徴とする請求項１に記載の魚体計測メジャー。
【請求項３】
前記メジャー本体は、前記内側から前記気体を抜いた際に、シート状に変形して折り畳み又は巻き取り可能となる、
ことを特徴とする請求項２に記載の魚体計測メジャー。
【請求項４】
前記メジャー本体は、前記載置面に載置される魚体の長さ方向に沿って延びる谷部を有する、
ことを特徴とする請求項１ないし３のいずれか１項に記載の魚体計測メジャー。
【請求項５】
前記メジャー本体の前記谷部を横切るように前記載置面に立設された基準壁を備える、
ことを特徴とする請求項４に記載の魚体計測メジャー。
【請求項６】
前記目盛り部は、前記基準壁をゼロ点として付されている、
ことを特徴とする請求項５に記載の魚体計測メジャー。
【請求項７】
前記谷部は、前記基準壁から遠い側よりも前記基準壁から近い側が低く構成されている、
ことを特徴とする請求項６に記載の魚体計測メジャー。
【発明の詳細な説明】
【技術分野】
【０００１】
本発明は、例えば、釣り上げた魚の魚体の長さを計測するための魚体計測メジャーに関する。
【背景技術】
【０００２】
釣りの愛好家の間では、釣果を示す１つの指標として、釣り上げた魚の魚体の長さを計測することが行われている。
【０００３】
計測は、一般に、釣り上げた魚の魚体を、直接、地面や船内の平らな部分に横たえ、魚体の長さ方向に沿って、巻き尺を直線状に引き延ばし、魚体の頭部先端から尾鰭部後端までの長さを測り、目盛りを読み取ることで行われる。
【０００４】
また、巻き尺を使用する代わりに、ボートを漕ぐためのオールや、魚を釣るための釣竿に目盛りを付し（例えば、特許文献１参照）、これらのオールや釣竿を横にして、これと平行になるように、魚体の頭部と尾鰭部とを両手で持った状態で長さを測るものもある。
【０００５】
さらに、長方形のプラスチック製のトレイの長手方向に目盛りを付し、トレイ上に魚体を横たえて長さを測るものも知られている。
【０００６】
なお、魚体の長さを計測するのに加えて、魚体とともに目盛りを写真に写し込むこともよく行われている。また、食用に供さない魚、例えば、ブラックバス等については、長さの計測後、あるいはこれに加えて撮影後に、逃がすことも頻繁に行われている。
【先行技術文献】
【特許文献】
【０００７】
【特許文献１】特開２０００−３１６４２７８号公報
【発明の概要】
【発明が解決しようとする課題】
【０００８】
しかしながら、上述の巻き尺、オール、釣竿、トレイを使用した計測では、計測を行う場所によっては、計測自体がしにくくて正確な計測が困難であるとともに、魚体を直接地面や船内に置くことによって、魚を損傷したり弱らせたりするという問題があった。また、釣り方や釣り場の状況によっては、携帯が困難なものもあり、さらに、いずれも水面上での使用ができないという問題もある。
【０００９】
すなわち、魚体を、直接、地面に横たえて巻き尺で計測する場合には、地面に凹凸があるために、巻き尺を直線状に延ばしたり、魚体を自然な姿勢で延ばしたりすることが難しく、このため魚体の長さを正確に計測することができない。
【００１０】
また、目盛りの付いたオールや釣竿を使用する場合には、魚体の頭部と尾鰭部とを両手で支持するため、特に魚体が大きい場合には、頭部と尾鰭部との間の腹部が下に垂れ下がって魚体全体を自然な姿勢に延ばすことができないため、正確な計測が困難であり、また、両手がふさがるために、自身での写真撮影ができないという問題もある。
【００１１】
また、例えば、目盛りの付いたオールや釣竿を地面や船内に置いて計測したとしても、巻き尺を用いて計測する場合と同様に、魚体を直接地面や船内におくことになるため、魚を損傷したり弱らせたりするという問題もある。
さらに、目盛りの付いたオールは、船を用いない岸からの釣りの場合には、携帯する事ができない。
【００１２】
また、目盛りの付いたトレイは、プラスチック製で硬質の素材を用いており、折り畳んだり巻き取ったりできないために形状が大きく、釣り場を頻繁に移動する必要がある岸からの釣りでは、携帯が困難であるという問題がある。
【００１３】
さらに、巻き尺、オール、釣竿のいずれを使用して計測する場合も、釣った魚の魚体に付着する水分を保持することができないために、計測中あるいは撮影中にどんどん魚が弱っていったり、損傷したりするおそれがある。
【００１４】
加えて、河川や湖、池、沼などに胴長靴（ウェーダー）を用いて水中に入り込んで釣りをする場合は、巻き尺、オール、釣竿、トレイのいずれを使用しても、水面上で魚体を真っ直ぐに安定させることができないため、正確な計測をすることはできない。
【００１５】
本発明は、上述した事情に鑑みてなされたものであり、計測時の魚体を自然な姿勢に延ばして精度の高い計測を行うことができるとともに、計測時あるいは撮影時の魚体から失われる水分を低減して、魚が弱りにくく損傷しにくく、携帯しやすいように小さくまとめることができ、水面上でも計測することができる魚体計測メジャーを提供することを目的とするものである。
【課題を解決するための手段】
【００１６】
請求項１に係る発明は、魚体の長さを計測するための魚体計測メジャーにおいて、シート状部材で囲まれた内側に気体が充填されることにより、接地面が下面側に形成され、魚体が載置される載置面が上面側に形成された板状、クッション状のメジャー本体と、前記載置面に載置される前記魚体の長さ方向に沿って付された目盛り部と、を備える、ことを特徴とする。
【００１７】
請求項２に係る発明は、請求項１に係る魚体計測メジャーにおいて、前記メジャー本体は、前記内側に対して前記気体の出し入れが可能な給排気口を有する、ことを特徴とする。
請求項３に係る発明は、請求項２に係る魚体計測メジャーにおいて、前記メジャー本体は、前記内側から前記気体を抜いた際に、シート状に変形して折り畳み又は巻き取り可能となる、ことを特徴とする。
【００１８】
請求項４に係る発明は、請求項１ないし３のいずれか１項に係る魚体計測メジャーにおいて、前記メジャー本体は、前記載置面に載置される魚体の長さ方向に沿って延びる谷部を有する、ことを特徴とする。
【００１９】
請求項５に係る発明は、請求項４に係る魚体計測メジャーにおいて、前記メジャー本体の前記谷部を横切るように前記載置面に立設された基準壁を備える、ことを特徴とする。
【００２０】
請求項６に係る発明は、請求項５に係る魚体計測メジャーにおいて、前記目盛り部は、前記基準壁をゼロ点として付されている、ことを特徴とする。
【００２１】
請求項７に係る発明は、請求項６に係る魚体計測メジャーにおいて、前記谷部は、前記基準壁から遠い側よりも前記基準壁から近い側が低く構成されている、
ことを特徴とする。
【発明の効果】
【００２２】
請求項１の発明によれば、メジャー本体は、魚体の計測に際し、下面側の接地面を地面等に接触させ、上面側の載置面に魚体を横たえることができるので、魚体を直接、地面等に横たえる場合と比較して、魚体の損傷を低減することができる。また、メジャー本体は、気体の充填によりクッション性を確保することができるので、載置面に横たえられた魚を軟らかく受け止めることができる。このことによっても魚体の損傷を低減することができる。また、載置面に魚体を横たえると、凹凸のある地面等に横たえる場合と比較して、魚体は自然な姿勢で延びる。このため、魚体の長さを高い精度で計測することができる。
また、板状のメジャー本体の上面側に載置面が形成されているので、魚体に付着した水分を奪いにくく、魚体の損傷を抑制したり、魚が弱らないようにすることができる。なお、載置面を構成する部材として、例えば、浮き輪や浮袋を作成する際に使用する塩化ビニールシート、布状の部材、ゴムシート等、水分をはじく素材を用いれば、一層、魚体に付着した水分を奪いにくく、魚体の損傷を抑制したり、魚が弱らないようにしたりすることができる。さらに、メジャー本体は、内側に気体が充填されるので、水面に浮かせての使用が可能、つまり、水面に浮かせた状態で魚体の長さを計測することができる。
【００２３】
請求項２の発明によれば、メジャー本体は、給排気口を介して、例えば、空気を入れることにより、メジャーとしての使用が可能となり、一方、給排気口から空気を抜くことにより、潰してシート状にすることができる。
【００２４】
請求項３の発明によれば、内側の気体を抜いてシート状にしたメジャー本体は、折り畳んだり巻き取ったりすることができるので、持ち運びに便宜である。
【００２５】
請求項４の発明によれば、載置面に魚体を載置する際に、魚体の長さ方向を谷部が延びる方向に合わせることにより、魚体の姿勢を自然に近い安定した姿勢とすることができるので、計測精度を高めることができる。また、谷部に水が溜まるので、魚体の損傷を抑制したり、魚が弱らないようにしたりすることができる。
【００２６】
請求項５の発明によれば、載置面に載置する魚体の頭部先端を、基準壁に合わせることにより、魚体の頭部先端の位置を精度よく位置決めすることができるので、魚体の全長を正確に計測することができる。
【００２７】
請求項６の発明によれば、ゼロ点と魚体の頭部先端が一致するので、計測は、魚体の尾鰭部後端の目盛りを読み取るだけで行うことができる。
【００２８】
請求項７の発明によれば、谷部は、基準壁から遠い側よりも近い側が低く構成されているので、魚体の長さ方向を谷部に沿って合わせて載置した際に、さらに、魚体を谷部に沿って基準壁に向かって簡単に移動させて魚体の頭部先端を基準壁に当てることができるので、計測作業を一層、簡略化できる。
【図面の簡単な説明】
【００２９】
【図１】図１〜図３は、実施形態１を説明する図であり、図１は魚体計測メジャー１を説明する模式図であって、（Ａ）は平面図、（Ｂ）は右側面図、（Ｃ）は正面図、（Ｄ）は背面図である。
【００３０】
【図２】魚体計測メジャー１の空気室の構造を説明する図である。
【００３１】
【図３】（Ａ）〜（Ｄ）は魚体計測メジャー１の折り畳みを説明する図である。
【００３２】
【図４】実施形態２の魚体計測メジャー２を説明する模式図であり、（Ａ）は平面図、（Ｂ）は右側面図である。
【００３３】
【図５】魚体計測メジャー１に、空気逆止弁の無い給排気口１４Ａを追加した例を説明する図である。
【００３４】
【図６】魚体計測メジャー１の、面ファスナに代えて、ホック３１ａ，３１ｂを取り付けた例を説明する図であり、（Ａ）は平面図、（Ｂ）は巻いた状態の斜視図である。
【００３５】
【図７】さらに他の魚体計測メジャー３を説明する図である。
【００３６】
【図８】（Ａ）〜（Ｃ）は、形状が異なる谷部１１ｃ，１１ｆ，１１ｇを説明する図である。
【発明を実施するための形態】
【００３７】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００３８】
図１〜図８を参照して本発明を適用した実施形態１に係る魚体計測メジャー１について説明する。
【００３９】
図１は、魚体計測メジャー１を説明する模式図であり、（Ａ）は平面図、（Ｂ）は右側面図、（Ｃ）は正面図、（Ｄ）は背面図である。なお、以下では、説明の便宜上、（Ａ），（Ｂ）中に矢印で示す前後左右上下が、魚体計測メジャー１の前後左右上下に対応するものとして説明する。また、適宜、前後方向を長さ方向、左右方向を幅方向（魚体Ｆの高さ方向）、上下方向を厚さ方向として説明する。
【００４０】
魚体計測メジャー１は、図１に示すように、メジャー本体１０と、目盛り部２０とを備えて構成されている。
【００４１】
メジャー本体１０は、全体として板状、クッション状に構成されている。ここで、板状とは、シート状ではなく、適度な厚みを有する立体形状のことをいい、また、クッション状とは、その表面が、金属や硬質のプラスチックの表面とは異なり、弾性を有することをいう。また、図１では、メジャー本体１０の平面図に現れる形状が長方形である場合を例示しているが、本発明は、これに限定されるものではなく、正方形、円形、楕円形等、魚体を有効に載置できる載置面を確保できれば、他の任意の形状とすることが可能である。
【００４２】
図１に例示する魚体計測メジャー１では、メジャー本体１０は、シート状部材の内側に空気（気体）を充填させることで、前後方向に長い長方形状の板状に構成されている。メジャー本体１０は、上面側に魚体Ｆが載置される載置面１１を有し、下面側に地面等に接触する接地面１１ｄを有している。ここで、シート状部材とは、袋状に形成して内側に空気を充填した際に、空気が抜けない薄手の部材のことをいい、例えば、浮き輪や浮袋を作成する際に使用する塩化ビニールシート、布状の部材、ゴムシートがあげられる。
【００４３】
メジャー本体１０の接地面１１ｄは、略平坦に形成され、載置面１１は、傾斜面状に形成されている。ここで、略平坦とは、例えば、メジャー本体１０を、平坦な地面に接地面１１ｄが接触するようにして置いた際に、接地面１１ｄが平坦になるということである。ここで、上述のように、メジャー本体１０は、クッション状に形成されているので、例えば、接地面１１ｄが、凹凸のある地面等に接触する場合には、接地面１１ｄは、その凹凸を適度吸収して、凹凸の影響が、載置面１１側に及ばないようにすることができる。このため、後述するように魚体Ｆの長さの計測の精度を高めることができる。
【００４４】
メジャー本体１０の載置面１１は、左右方向の略中央に位置して前後方向に延びる谷部１１ｃを境に、左載置面１１ａと右載置面１１ｂとに分かれている。つまり、左載置面１１ａと右載置面１１ｂとの間には、前後方向に延びる谷部１１ｃが形成されている。左載置面１１ａは、左端側が高く（下面１１ｄからの厚さが厚く）、右端側となる谷部１１ｃ側が低く（下面１１ｄからの厚さが薄く）なるように形成されている。同様に、右載置面１１ｂは、右端側が高く（下面１１ｄからの厚さが厚く）、左端側となる谷部１１ｃ側が低く（下面１１ｄからの厚さが薄く）なるように形成されている。左載置面１１ａは、左端側から谷部１１ｃに向かって緩やかに高さが低くなる傾斜面に形成され、右載置面１１ｂは、右端側から谷部１１ｃに向かって緩やかに高さが低くなる傾斜面に形成されている。なお、本実施形態においては、谷部１１ｃの高さ（下面１１ｄからの厚さ）は、前後方向の位置が異なっても同じになるように形成されている。つまり、谷部１１ｃは、同じ高さで左右方向に延びている。
【００４５】
後述するように、魚体Ｆは、計測のために載置面１１に載置される際に、その長さ方向が、谷部１１ｃと一致するように載置される。
【００４６】
メジャー本体１０の前端には、基準壁１２が設けられている。基準壁１２は、左右方向に長い長板状に形成されている。基準壁１２は、メジャー本体１０と同じ素材、すなわち、シート状部材によって形成されていて、内側には、空気（気体）が充填されている。基準壁１２は、載置面１１の谷部１１ｃに交差するように配置されており、また、載置面１１から上方に突出するように設けられている。この基準壁１２は、後端側に位置する面が、基準面１２ａとなる。この基準面１２ａは、後述する目盛り部２０の基準、つまりゼロ点となり、図１（Ａ）に示すように、魚体Ｆの長さを計測する際に、魚体Ｆの頭部先端Ｆａを当接させる面となる。これにより、計測精度を向上させることができる。
【００４７】
メジャー本体１０の後端には、後壁１３が設けられている。後壁１３は、左右方向に長い長板状に形成されている。後壁１３は、メジャー本体１０と同じ素材、すなわち、シート状部材によって形成されていて、内側には、空気（気体）が充填されている。後壁１３は、載置面１１の谷部１１ｃに交差するように配置されており、また、載置面１１から上方に突出するように設けられている。
【００４８】
このように、谷部１１ｃは、左側と右側とがそれぞれ左載置面１１ａと右載置面１１ｂとに挟まれ、さらに、前側と後側とが基準壁１２、後壁１３とによって囲まれているので、水を蓄えることが可能となる。これにより、例えば、釣り上げた魚の魚体Ｆの長さを計測する際に、魚体Ｆから落ちた水を谷部１１ｃに貯めることができるため、魚体Ｆの乾燥を防いで、魚を弱りにくくすることができる。
【００４９】
なお、後壁１３は、前側の基準壁１２とは異なり、魚体Ｆの頭部先端Ｆａを当接させる必要がなく、谷部１１ｃに水を貯められれば十分であるため、基準壁１２よりも低く形成されている。また、後壁１３を例えば、基準壁１２と同等の高さに形成して、後壁１３の壁面１３ａを基準面として使用することも可能である。ただし、この場合には、壁面１３ａが、後述する目盛り部２０の切りの良い目盛り２１（図１（Ａ）の例では、８０ｃｍ）に対応するようにしておくとよい。
【００５０】
基準壁１２には、図１に示すように、左端側に栓（給排気口）１４が設けてある。栓１４には、基準壁１２あるいは基準壁１２を介してメジャー本体１０、後壁１３の内側に一端、注入した空気が抜けないように逆止弁（不図示）が取り付けられている。なお、この逆止弁は、栓１４を外側から指で摘んで変形させることにより、空気の排出が可能となる。栓１４は、図示例のように、左端側（又は右端側）に設けることで、後述するように、魚体計測メジャー１から空気を抜いて巻き取る際に邪魔になりにくく、さらに、魚体計測メジャー１を巻き取った後にさらに空気を抜いて、巻き取りを小径にすることができる。
【００５１】
基準壁１２には、また、図１に示すように、左右方向の略中央に、ループ状の係止具１７が設けられている。この係止具１７は、ナスカン、カラビナ、フック等を引っ掛けて使用することにより、魚体計測メジャー１が風に飛ばされるのを防止したり、また、川での立ち込み釣りや、フローターでの釣りのときなどに、魚体計測メジャー１を水面に浮かせて使用する際に流されるのを防止したりすることができる。なお、係止具１７は、例えば、軟質のビニール等の変形可能な材質で構成するとよい。これにより、後述するように、携帯に際して、魚体計測メジャー１を巻き取るときに、際に、内側に巻き込まれて変形するため、邪魔になりにくい。係止具１７は、基準壁１２の左右方向の略中央に設けられているので、例えば、係止具１７にナスカン等を介してロープ等に連結した状態で、魚体計測メジャー１を流れのある水面に浮かせた状態で使用する場合でも、安定した状態で使用することができる。
【００５２】
基準壁１２には、図１に示すように、右端側に、上述の係止具１７と同様、ループ状の係止具１７ａが設けてある。この係止具１７ａは、後述するように、魚体計測メジャー１から空気を抜いて巻き取った際に、筒状の一方の端部から突出するため、この係止具１７ａに、ナスカン、カラビナ、フック等を引っ掛けて、道具入れようのバッグやズボンのベルト通しなどにぶら下げて便利に使用することができる。また、魚が釣れたらすぐに取り出して使用することができる。
【００５３】
後壁１３には、面ファスナの一方側１５（例えば、凸側）が取り付けられている。面ファスナの他方側（例えば、凹側：不図示）は、メジャー本体１０の下面１１ｄに取り付けられていて、後述するように、メジャー本体１０等から空気を抜いて、巻き取った際に、他方側に、一方側１５を係合させることで、メジャー本体１０の巻き取り状態を保持することができる。
【００５４】
図２は、魚体計測メジャー１の空気室の構造を説明する図である。図示例では、魚体計測メジャー１は、４つの空気室Ａａ，Ａｂ，Ａｃ，Ａｄによって構成されている。このうち空気室Ａａは、メジャー本体１０の左載置面１１ａと下面１１ｄとの間に形成された空気室であり、また、空気室Ａｂは、メジャー本体１０の右載置面１１ｂと下面１１ｄとの間に形成された空気室であり、これら空気室Ａａ，Ａｂは、谷部１１ｃの位置に対応する隔壁Ｆ２によって隔てられている。また、空気室Ａｃは、基準壁１２に対応する空気室であり、上述の空気室Ａａ，Ａｂとは隔壁Ｆ１によって隔てられている。さらに、空気室Ａｄは、後壁１３に対応する空気室であり、上述の空気室Ａａ，Ａｂとは隔壁Ｆ３によって隔てられている。隔壁Ｆ１には、ゲート（空気孔）Ｇ１が穿設され、また、隔壁Ｆ２にはゲートＧ２が穿設され、さらに、隔壁Ｆ３には、ゲートＧ３，Ｇ４が穿設されている。栓１４から空気室Ａｃに注入された空気は、ゲートＧ１，Ｇ２を介して、空気室Ａａ及び空気室Ａｂに注入される。さらに、空気室Ａａに注入された空気はゲートＧ３を介して、また、空気室Ａｂに注入された空気はゲートＧ４を介して、それぞれ空気室Ａｄに注入される。このように、栓１４を介して空気室Ａｃに注入された空気は、各ゲートＧ１〜Ｇ４を介して、空気室Ａａ，Ａｂ，Ａｄに注入される。つまり、栓１４を介して、空気が魚体計測メジャー１の内側全体に充填される。
【００５５】
メジャー本体１０の載置面１１（左載置面１１ａ及び右載置面１１ｂ）には、図１（Ａ）に示すように、目盛り部２０が設けられている。図示例では、目盛り部２０は、基準壁１２の基準面１２ａをゼロ点として、谷部１１ｃに沿って１０ｃｍ間隔で付された目盛り線２１と、この目盛り線２１の間に付された５ｃｍ間隔の目盛り線２２とを有しており、さらに、これらの間に付された、例えば、１ｍｍ間隔の目盛り線（不図示）を有している。これら１０ｃｍ、５ｃｍ、１ｍｍ間隔の目盛り線２１，２２は、載置面１１の左右方向の全幅にわたって設けられている。なお、これら１０ｃｍ、５ｃｍ、１ｍｍ間隔の目盛り線２１，２２は、必ずしも、載置面１１の左右方向の全幅にわたって設ける必要はないが、上述のように全幅にわたって設けておけば、例えば、計測の対象となる尾鰭部後端Ｆｂの位置が、谷部１１ｃから左右方向に大きく外れている場合であっても、高い精度の計測が可能となる。１０ｃｍ間隔の目盛り線の横には、１、２……７の数字が付されており、これらは１０、２０…７０ｃｍを表している。このように、目盛り部２０は、魚体Ｆの頭部先端Ｆａが当接される基準面１２ａをゼロ点として、谷部１１ｃに沿って後方に延びるように設けられているので、魚体Ｆの長さの計測を高い精度で行うことができる。
【００５６】
なお、目盛り部２０は、さらに、載置面１１の左右方向にも５ｃｍ間隔で目盛り線２３を設けるようにしてもよい。この目盛り線２３には、谷部１１ｃをゼロ点として左側及び右側に行くほど数値が大きくなる数字（図示例では、５ｃｍを表す５、１０ｃｍを表す１０）が付されており、魚体Ｆの長さを計測するのと同時に、魚体Ｆの高さを計測できるようになっている。ただし、この目盛り線２３を設ける場合であっても、１ｍｍ間隔とした場合には、載置面１１の前面が１ｍｍ角の方眼状になってしまい、写真撮影時に背景が煩雑になるおそれがあるため、例えば、５ｃｍ間隔とすることが好ましい。この目盛り線２３は、魚体Ｆの正確な高さを計測するものではなく、あくまでも魚体Ｆの高さを大まかに知るためのものである。目盛り線２３は、省略するようにしてもよい。
【００５７】
図３（Ａ）〜（Ｄ）は魚体計測メジャー１の折り畳みを説明する図である。なお、ここでいう折り畳みには、巻き取りも含むものとする。
【００５８】
空気が充填された状態の魚体計測メジャー１を折り畳むには、まず、栓１４を外して、空気室Ａａ〜Ａｄの空気を抜き、全体をシート状に潰す。次に、（Ａ），（Ｂ）に示すように、谷部１１ｃを基準としてメジャー本体１０を矢印Ｒ１方向に谷折りして２つ折りにする。つづいて、（Ｂ）に示すように、基準壁１２側から矢印Ｒ２方向に順に巻き込んでいく。巻き終えたら、（Ｃ），（Ｄ）に示すように、栓１４からさらに空気を抜いて、巻きを小径にして、最後に、面ファスナの一方側１５を他方側（不図示）にくっつけて、巻込みを終了する。これにより、魚体計測メジャー１は、小さくまとめられ、場所を取らずに、携帯に便宜になる。
【００５９】
以上説明した魚体計測メジャー１は、以下のような効果、すなわち、
（１）魚体Ｆの計測に際し、下面側の接地面１１ｄを地面等に接触させ、上面側の載置面１１に魚体Ｆを横たえることができるので、魚体Ｆを直接、地面等に横たえる場合と比較して、魚体Ｆの損傷を低減することができる。
（２）気体の充填によりクッション性を確保することができるので、載置面１１に横たえられた魚体Ｆを軟らかく受け止めることができる。このことによっても魚体Ｆの損傷を低減することができる。
（３）空気（気体）を充填することにより、板状になるため、載置面１１に魚体Ｆを横たえると、凹凸のある地面等に横たえる場合と比較して、魚体Ｆは自然な姿勢で延びる。このため、魚体の長さを高い精度で計測することができる。
（４）載置面１１のうちの、谷部１１ｃに水が溜まるので、魚体の損傷を抑制したり、魚が弱らないようにしたりすることができる。
（５）内側に気体が充填されるので、水面に浮かせての使用が可能、つまり、水面に浮かせた状態で魚体Ｆの長さを計測することができる。
（６）栓１４を介して、空気の出し入れができるので、空気を充填した際には、メジャーとしての使用が可能となり、一方、栓１４から空気を抜くことにより、潰してシート状にすることができる。
（７）さらに、潰してシート状にできるので、これを折り畳んだり、巻き取ったりすることが可能となり、携帯に便宜である。
（８）載置面１１に魚体Ｆを載置する際に、魚体Ｆの長さ方向を谷部１１ｃが延びる方向に合わせることにより、魚体Ｆの姿勢を自然に近い安定した姿勢とすることができるので、計測精度を高めることができる。
（９）載置面１１に載置する魚体Ｆの頭部先端Ｆａを、基準壁１２の基準面１２ａに合わせることにより、魚体Ｆの頭部先端Ｆａの位置を精度よく位置決めすることができるので、魚体Ｆの全長を正確に計測することができる。
（１０）目盛り部２０のゼロ点を、基準面１２ａに合わせて設定することにより、魚体Ｆの頭部先端Ｆａを基準面１２ａに当接させるだけで、ゼロ点に合わせることができるので、計測は、魚体の尾鰭部後端Ｆｂの目盛りを読み取るだけで行うことができる。
という効果を奏することができる。
＜実施形態２＞
【００６０】
図４は、実施形態２の魚体計測メジャー２を説明する模式図であり、（Ａ）は平面図、（Ｂ）は右側面図である。
【００６１】
本実施形態の魚体計測メジャー２は、上述の実施形態１の魚体計測メジャー１に対して、さらに、左側壁１８、右側壁１９を追加したものである。
【００６２】
左側壁１８は、左載置面１１ａの左端に、前後方向の全長にわたって設けられていて、左載置面１１ａから上方に突出するように設けられている。同様に、右側壁１９は、右載置面１１ｂの右端に、前後方向の全長にわたって設けられていて、右載置面１１ｂから上方に突出するように設けられている。すなわち、左載置面１１ａと右載置面１１ｂとからなる載置面１１全体は、その四方を基準壁１２、後壁１３、左側壁１８、右側壁１９で囲まれている。このため、載置面１１上の全体にわたって水を貯めることが可能となり、適宜な量の水を貯めることで、計測時の魚体Ｆの劣化、すなわち、魚体Ｆが損傷したり、魚が弱ったりすることを防止することができる。
【００６３】
図５は、魚体計測メジャー１に、空気逆止弁の無い栓（給排気口）１４Ａを追加した例を説明する図である。このような栓１４Ａを設けることにより、魚体計測メジャー１から空気を抜く際に、栓１４Ａを外すことにより、短時間で、しかも確実に空気を抜くことができる。なお、栓１４Ａは、例えば、図示のように後壁１３の右端部、又は左端部に設けることにより、魚体計測メジャー１を折り畳んで、巻き取った後にも、巻き状態の魚体計測メジャー１から突出されるため、巻き取り後の操作が容易となる。
【００６４】
図６は、魚体計測メジャー１の、面ファスナに代えて、ホック３１ａ，３１ｂを取り付けた例を説明する図であり、（Ａ）は平面図、（Ｂ）は巻いた状態の斜視図である。
【００６５】
このように、面ファスナに代えて、ホック３１ａ，３１ｂを設け、魚体計測メジャー１の巻き取り後に、ホック３１ａをホック３１ｂに係合させることで、巻き取り状態を維持するようにしてもよい。
【００６６】
図７は、さらに他の魚体計測メジャー３を説明する図である。上述の実施形態１の魚体計測メジャー１では、前後方向に延びる谷部１１ｃは、その高さが前後方向の位置にかかわらず略一定となるように構成されていが、図７に示す魚体計測メジャー３では、谷部１１ｅの高さについて、基準壁１２側の高さｈ１が低く、後壁１３側の高さｈ２が高くなるように構成されている。これにより、魚体Ｆを、その長さ方向が谷部１１ｅに沿うようにして載置面１１に載置した場合に、魚体Ｆは、高くなっている後壁１３側よりも、低くなっている基準壁１２側に移動させやすいので、魚体Ｆの頭部先端Ｆａ（図１参照）を基準壁１２の基準面１２ａに当接させやすい。すなわち、魚体Ｆの長さの計測時に、魚体Ｆの位置決めが行いやすい。
【００６７】
図８（Ａ）〜（Ｃ）は、形状が異なる谷部１１ｃ（１１ｅ），１１ｆ，１１ｇを説明する図である。なお、これらの図は、谷部の延びる方向（前後方向）に直交する平面で切ったときの断面を示している。
【００６８】
（Ａ）に示す谷部１１ｃ，１１ｅは、上述の魚体計測メジャー１，３で説明した谷部の形状であり、左載置面１１ａと右載置面１１ｂとが屈曲状態（角度の広い「Ｖ」字形）に交差している。
【００６９】
（Ｂ）に示す谷部１１ｆは、左載置面１１ａと右載置面１１ｂとが上方に向かって凹状の屈曲状態（角度の広い「Ｕ」字形）に交差している。
【００７０】
（Ｃ）に示す谷部１１ｇは、上方に向かって凸状に湾曲した左載置面１１ａと同じく上方に向かって凸状に湾曲した右載置面１１ｂとが交差して形成されている。
【００７１】
このように、谷部の形状については、種々のものが可能である。すなわち、谷部としては、左載置面１１ａのうちの谷部に隣接して前後方向に延びる領域、及び右載置面１１ｂのうちの谷部に隣接して前後方向に延びる領域に対して、これらの領域よりも低くなった部分として定義することができる。したがって、例えば、（Ｃ）に示すように、左載置面１１ａ及び右載置面１１ｂは、谷部から遠い領域については、谷部よりも低くなっていることも可能である。
【００７２】
上述の実施形態１，２では、メジャー本体１０、目盛り部２０の外に、基準壁１２、後壁１３、谷部１１ｃ等を備えた魚体計測メジャー１，３を例に説明したが、本発明に係る魚体計測メジャーは、基本的な構成としては、内側に空気（気体）を充填することで板状、クッション状となるメジャー本体１０と、このメジャー本体１０の載置面１１に付した目盛り部２０とを備えていれば十分である。この構成により、上述の効果（１）〜（１０）のうち、（１）〜（７）を奏することができる。
【符号の説明】
【００７３】
１，２，３  魚体計測メジャー
１０  メジャー本体
１１  載置面
１１ａ  左載置面
１１ｂ  右載置面
１１ｃ，１１ｅ，１１ｆ，１１ｇ  谷部
１１ｄ  接地面
１２  基準壁
１４  栓（給排気口）
２０  目盛り部
Ｆ  魚体
Ｆａ  頭部先端
Ｆｂ  尾鰭部後端
【図１】
0005419917.tif 000002
【図２】
0005419917.tif 000003
【図３】
0005419917.tif 000004
【図４】
0005419917.tif 000005
【図５】
0005419917.tif 000006
【図６】
0005419917.tif 000007
【図７】
0005419917.tif 000008
【図８】
0005419917.tif 000009